(57)【要約】【課題】ドライフラワーをガラス容器内に封入し、蓋を固定したドライフラワー密封容器の作成において、ガラス容器の口部を研磨することなくしてガラス容器を安価に提供する【解決手段】開口部を有する透明ガラス容器１内に乾燥剤４と、ドライフラワーＦを封入し、開口部を蓋２により封止するドライフラワー密封方法において、容器の開口部口縁に挟着部を設けたゴム又は合成樹脂製の嵌着材３を、その挟着部で開口部外周縁部を挟着することにより嵌着し、該嵌着材３を介して蓋２を密着して密封せしめる。  嵌着材３はガラス容器１の開口部口縁に接着剤を用いて接着してもよく、また接着しないようにしてもよい。  【選択図】    図１
2005271981.tif 000002
【特許請求の範囲】
【請求項１】
開口部を有する透明ガラス容器内に乾燥剤と、ドライフラワーを封入し、開口部を蓋により封止するドライフラワー密封方法において、容器の開口部口縁に挟着部を設けたゴム又は合成樹脂製の嵌着材を、その挟着部で開口部外周縁部を挟着することにより嵌着し、該嵌着材を介して蓋により密封せしめることを特徴とするドライフラワーを原色のままガラス容器に密封する方法。
【請求項２】
嵌着材がゴム又は合成樹脂により形成され、上部に平面部を有し、下部に口縁挟着部を有する成形体である請求項１記載のドライフラワーを原色のままガラス容器に密封する方法。
【請求項３】
口縁挟着部が嘴状突出形状を有している請求項１または２記載のドライフラワーを原色のままガラス容器に密封する方法。
【請求項４】
嵌着材を容器開口部外周縁部に接着剤により固定する請求項１，２または３記載のドライフラワーを原色のまま密封する方法。
【請求項５】
蓋を嵌着材の上部に接着剤を使用して密着させる請求項１〜４の何れかの項に記載のドライフラワーを原色のまま密封する方法。
【発明の詳細な説明】
【技術分野】
【０００１】
本発明はシリカゲル等の乾燥剤を用いて乾燥させたドライフラワーをガラス容器の透明感を損なうことなく原色のままより確実に密封する方法に関するものである。
【背景技術】
【０００２】
開口部を有し、乾燥剤が封入される透明容器と、乾燥剤と、開口部に着脱自在に取り付けられる開口部封止体からなるドライフラワー鑑賞容器は、生花の鑑賞，ドライフラワーの制作及び得られたドライフラワーの鑑賞を同じ容器で行うための容器として、さきに提案されている（例えば特許文献１参照）が、一方において従来、ボトルフラワーと呼ばれる、シリカゲル等の乾燥剤を用い、あるいは他の方法で乾燥させて作ったドライフラワーをブランデーグラス等の如きガラス容器に乾燥剤と共に密封したドライフラワーグラスが実用に供されている。
そして、この場合にはドライフラワーをガラス容器に乾燥剤と共に密封する手段として、ガラス容器の口の部分を平面に研磨し、板ガラス等の蓋を接着剤等で密着させ密封する方法が一般に用いられている。
【特許文献１】特開平５−２９３０２７号公報
【発明の開示】
【発明が解決しようとする課題】
【０００３】
しかし、上記ガラス容器に板ガラス等の蓋を接着剤等で密着密封する方法は、元々丸く加工されたガラス容器の口部はガラス板又は樹脂板よりなる蓋との接着面が非常に狭く、しかも必らずしも均一な平面でないため蓋をすると隙間を生じ、そこから湿気が入り込む問題があった。
これを解消するためには口部を平面に研磨する必要があるが、これには大変な手間と費用がかかり、結果としてボトルフラワー専用のガラス容器の価格が高くなり、ボトルフラワーの普及の妨げになっていた。
【０００４】
本発明は上述の如き実状に対処し、ガラス容器の口部に蓋を接着するにあたり、特にガラス口部に嵌着する嵌着材を利用することを見出し、結果としてガラス容器口部を研磨することなくガラス容器口部と蓋との密着性を高め、密封を確実にすると共に、ドライフラワーの入れ替えを容易にし、かつボトルフラワー専用のガラス容器を安価に提供することを目的とするものである。
【課題を解決するための手段】
【０００５】
本発明は上記目的を達成するため、開口部を有する透明ガラス容器内に乾燥剤と、ドライフラワーを封入し、開口部を蓋により封止するドライフラワー密封方法において、容器の開口部口縁に挟着部を設けたゴム又は合成樹脂製の嵌着材を、その挟着部で開口部外周縁部を挟着することにより嵌着し、該嵌着材を介して蓋により密封せしめるようにした。
【０００６】
請求項２は上記発明において嵌着材がゴム又は合成樹脂により形成され、上部に平面部を有し、下部に口縁挟着部を有する成形体であることを特徴としている。
請求項３は上記各発明において口縁挟着部が嘴状突出部を有している形状であることを特徴としている。
請求項４は、上記各発明において、上記嵌着材を容器開口部口縁外周部に接着剤により固定することを特徴としている。
また、請求項５は、上記各発明において蓋を嵌着材の上部に接着剤を用いて密着させることを特徴としている。
【発明の効果】
【０００７】
上記本発明方法によれば、嵌着材を使用し蓋を密着させるためのガラス容器口部を予め研磨することなく密封することが可能であり、また、接着剤で蓋を嵌着材に固定すればより密封度が高められる。
【０００８】
一方、接着剤で蓋を固定しない場合は、再度、内部のドライフラワーを入れ替えるときの蓋の取り外しが容易となる。
更に、ガラス容器の形状には種々の形状があるが、嵌着材による嵌着であり、柔軟性があるため容易に各形状に対応することができる。
また、嵌着材の突出形状により吸盤と同じ効果を発揮するものを用いれば空気遮断効果はより大きくなる。
なお、嵌着材の上部を平面とすれば蓋との密着，接着が頗る良好である。
【発明を実施するための最良の形態】
【０００９】
以下、更に添付図面にもとづき本発明の実施形態を説明する。
図１は本発明によるドライフラワーの密封状態例であり、１はドライフラワーを湿気から守る開口部を有する透明ガラス容器、２は開口部を蓋止する蓋、Ｆはドライフラワー、４は乾燥剤であり、開口部を蓋２により封止することにより、意図するドライフラワー容器として形成されている。
【００１０】
ここで、本発明は特にそのガラス容器１の開口部と蓋２との接合部が重要であり、従来、ガラス容器１の開口部を平面に研磨し、蓋２を接着剤等で密着させていたのを止め、図１（ロ）に示すようにガラス容器１開口部に嵌着材３を嵌め込むことによって該嵌着材３を介して蓋２を密着させるようにしている。
【００１１】
一般にボトルフラワーはガラスの透明感が大切であるために嵌着材によってその透明感が損なわれたのでは意味が無く、又、ガラス容器はサイズ，形状とも千差万別であり、口部もそれに合わせて異なっているため、それらに対応する必要がある。
そのために嵌着材は特長として（ａ）透明感が高い、（ｂ）柔軟性がある。（ｃ）容易に黄変，劣化しない、（ｄ）防水性がある（吸水性が低い）などの条件を満たすことが好ましく、しかもコストにおいても従来の研磨に比較して安価であることが求められる。
そこで、これらに適合する素材としてゴム，合成樹脂が用いられ、特にソフトアクリル，エラストマーと呼ばれる高弾性高分子物質は好適である。
しかし、これに限らず、上記条件を満たす樹脂であれば使用可能であることは勿論である。
そして、嵌着材はガラス容器１の口部に嵌め込み隙間が生じないように成形することが好ましい。
【００１２】
図２，図３は嵌着材３の各種形態であり、全体を通じて上部の肉厚部と、該肉厚部の両側より延びてガラス容器１の口縁外周部１ａを挟みつける挟着部を有する形状として成形されており、上部肉厚部の上面は密着に好適なように平面部又は略平面状に形成されている。
特に図２（ロ）及び図３は上記挟着部の先端が尖鋭化されて嘴状に形成された場合であり、この場合はゴム又は合成樹脂がガラス容器に対し吸盤と同じ効果を発揮し、より有効である。
【００１３】
しかして、上記嵌着材３はガラス容器口部に接着剤で固定すれば密封度は高まり良好であるが、接着剤で固定しなくてもよく、この場合はガラス容器内部のドライフラワーを入れ替えるときに取り外しが容易である。
次に以上のようにしてガラス容器１の口縁部１ａに嵌着材３を嵌め込むと、その上部平面部に蓋２を密着させる。
蓋２は嵌着材３の上部平面部に通常、接着剤を用いて接着しているが、接着剤を使用せず、他の方法で固定するようにしてもよい。
なお、蓋２は容器の透明性を損なわないため容器と同様なガラス板であることが好ましいが、透明性を保持すれば樹脂板であってもよい。
【００１４】
図４は上記各例が、ガラス容器１の上部に蓋２をのせ、密着させる場合であるのに対し、皿１２を下部に配置し、これにガラス容器１１を被せた形状のもので、このようなボトルフラワーにおいても適用可能であり、上部の容器の下部開口部に前記の如き嵌着材１３を嵌め込むことにより開口部を研磨することなく皿１２に対し密着させることができる。
なお、この場合には予め保持部１４により支持された皿１２の上にドライフラワー，乾燥剤をのせ、これらを封入するように容器１１を被せるのが通常である。
この形状のものもボトルフラワーでは一般に使用されるが、この場合、比較的容器口部を研磨することなく、接着剤で固定することが多く、微少の隙間から湿気が入り、ドライフラワーの変色の原因にもなっているが、本発明により密封度を高めることが簡易にできるようになる。
【図面の簡単な説明】
【００１５】
【図１】本発明方法によるボトルフラワーの１例を示し、（イ）は概観図、（ロ）は容器口部の分解図である。
【図２】本発明における嵌着材の嵌着状態図であり、（イ）（ロ）（ハ）は各態様を示す。
【図３】本発明における他の嵌着材を示し、（イ）は嵌着状態、（ロ）は嵌着材の部分斜視図である。
【図４】本発明の実施例に係る他の容器例で、（イ）は全体概要図、（ロ）は分解図である。
【符号の説明】
【００１６】
Ｆ：ドライフラワー
１，１１：ガラス容器
２：蓋
３，１３：嵌着材
４：乾燥剤
１２：皿
【図１】
2005271981.tif 000003
【図２】
2005271981.tif 000004
【図３】
2005271981.tif 000005
【図４】
2005271981.tif 000006